(57)【要約】【課題】  専用のヘルプボタンを設けることなく、ヘルプ表示が必要な場合に簡易な操作でヘルプを表示させる。【解決手段】  ディスプレイを有する印刷装置であって、複数種の異常事態の発生を検出する検知手段と、異常事態に対応した表示メッセージおよび少なくとも一部の異常事態に対応したヘルプデータを格納する記憶手段と、操作を受け付ける複数の操作子と、前記ディスプレイへの表示を制御する表示制御手段とを備え、前記表示制御手段は、異常事態が検出された場合に、その異常事態に対応した表示メッセージを前記ディスプレイに表示させるとともに、その異常事態に対応したヘルプデータが存在している場合には、所定の操作子を示す情報をヘルプデータを表示させるためのヘルプガイドとして前記ディスプレイに表示させることを特徴とする印刷装置。【選択図】  図１
2006137051.tif 000002
【特許請求の範囲】
【請求項１】
ディスプレイを有する印刷装置であって、
複数種の異常事態の発生を検出する検知手段と、
異常事態に対応した表示メッセージおよび少なくとも一部の異常事態に対応したヘルプデータを格納する記憶手段と、
操作を受け付ける複数の操作子と、
前記ディスプレイへの表示を制御する表示制御手段とを備え、
前記表示制御手段は、
異常事態が検出された場合に、その異常事態に対応した表示メッセージを前記ディスプレイに表示させるとともに、その異常事態に対応したヘルプデータが存在している場合には、所定の操作子を示す情報をヘルプデータを表示させるためのヘルプガイドとして前記ディスプレイに表示させることを特徴とする印刷装置。
【請求項２】
請求項１に記載の印刷装置であって、
前記表示制御手段は、
前記ヘルプガイドの表示中に、前記所定の操作子の操作を受け付けると、前記異常事態に対応したヘルプデータをディスプレイに表示させることを特徴とする印刷装置。
【請求項３】
請求項１に記載の印刷装置であって、
前記所定の操作子は、前記ヘルプガイドが表示されていないときは、ヘルプデータ表示以外の機能が割り当てられていることを特徴とする印刷装置。
【請求項４】
請求項１に記載の印刷装置であって、
前記ヘルプガイドには、前記所定の操作子の操作によりヘルプデータが表示される旨の文字表示が含まれることを特徴とする印刷装置。
【請求項５】
請求項１に記載の印刷装置であって、
前記表示制御手段は、
異常事態が検出された場合に、その異常事態に対応したヘルプデータが存在しない場合には、前記ヘルプガイドを前記ディスプレイに表示させないことを特徴とする印刷装置。
【請求項６】
請求項１に記載の印刷装置であって、
前記表示制御手段は、
複数の異常事態が検出された場合には、いずれかの異常事態に対応した表示メッセージを前記ディスプレイに表示させるとともに、その異常事態に対応したヘルプデータが存在している場合には、所定の操作子を示す情報をヘルプデータを表示させるためのヘルプガイドとして前記ディスプレイに表示させ、併せて、他の異常事態に対応した表示メッセージが存在していることを示す情報を前記ディスプレイに表示させることを特徴とする印刷装置。
【請求項７】
請求項６に記載の印刷装置であって、
前記記憶手段は、それぞれの異常事態について優先順位を格納しており、
前記表示制御手段は、
複数の異常事態が検出された場合には、検出された各異常事態の優先順位にしたがって対応する表示メッセージを前記ディスプレイに表示させることを特徴とする印刷装置。
【発明の詳細な説明】
【技術分野】
【０００１】
本発明は、エラー／警告情報を表示するためのディスプレイを有する印刷装置に関する。
【背景技術】
【０００２】
液晶表示装置等のディスプレイを備えている印刷装置が知られている。ディスプレイは、メニュー等を表示することにより印刷装置の各種設定に用いる他、印刷装置で発生しているエラー／警告等をユーザに通知する役割も担っている。エラー／警告等をユーザに通知するディスプレイについては、例えば、特許文献１に記載されている。
【０００３】
【特許文献１】特開２００４−２５５２５号公報
【発明の開示】
【発明が解決しようとする課題】
【０００４】
従来、印刷装置でエラー／警告等の異常事態が発生した場合には、ユーザは印刷装置のマニュアルを参照して対処方法を調べ対応していたが、近年では、発生したエラー／警告に対応したヘルプをディスプレイに表示させる印刷装置が実用化されてきた。
【０００５】
このような印刷装置では、コントロールパネル上にヘルプを表示させるための専用のヘルプボタンが備えられ、ユーザは、ヘルプを参照したい場合にはヘルプボタンを押すことでヘルプを表示させていた。
【０００６】
しかし、ヘルプはエラー／警告が発生した場合に必要となるものであり、通常の使用状態においては参照する必要はないものである。このため、使用頻度の少ないヘルプを参照するために専用のボタンを設けることは、コスト的に不利であり、また、コントロールパネルの小型化を妨げることになっていた。
【０００７】
一方で、ヘルプが必要なときに、ヘルプ表示のために煩雑な操作を求めると、ユーザに負担を強いることになる。
【０００８】
本発明は、専用のヘルプボタンを設けることなく、ヘルプ表示が必要な場合に簡易な操作でヘルプを表示させることを目的とする。
【課題を解決するための手段】
【０００９】
上記課題を解決するための本発明による印刷装置は、
ディスプレイを有する印刷装置であって、
複数種の異常事態の発生を検出する検知手段と、
異常事態に対応した表示メッセージおよび少なくとも一部の異常事態に対応したヘルプデータを格納する記憶手段と、
操作を受け付ける複数の操作子と、
前記ディスプレイへの表示を制御する表示制御手段とを備え、
前記表示制御手段は、
異常事態が検出された場合に、その異常事態に対応した表示メッセージを前記ディスプレイに表示させるとともに、その異常事態に対応したヘルプデータが存在している場合には、所定の操作子を示す情報をヘルプデータを表示させるためのヘルプガイドとして前記ディスプレイに表示させることを特徴とする。
【００１０】
本発明によれば、発生している異常事態に対応するヘルプデータが存在している場合には、所定の操作子をヘルプを表示させるための操作しとして用いるとともに、その旨をユーザに通知するための表示を行なうようにしているため、専用のヘルプボタンを設けることなく、ヘルプ表示が必要な場合に簡易な操作でヘルプを表示させることが可能となる。
【００１１】
このため、前記表示制御手段は、
前記ヘルプガイドの表示中に、前記所定の操作子の操作を受け付けると、前記異常事態に対応したヘルプデータをディスプレイに表示させるようにする。
【００１２】
また、前記ヘルプガイドが表示されていないときは、前記所定の操作子にヘルプデータ表示以外の機能を割り当てることにより、専用のヘルプボタンは不要となる。
【００１３】
さらに、前記ヘルプガイドには、前記所定の操作子の操作によりヘルプデータが表示される旨の文字表示が含まれることによりユーザに操作をわかりやすくさせることができる。
【００１４】
なお、前記表示制御手段は、
異常事態が検出された場合に、その異常事態に対応したヘルプデータが存在しない場合には、前記ヘルプガイドを前記ディスプレイに表示させないようにさせる。
【００１５】
また、前記表示制御手段は、
複数の異常事態が検出された場合には、いずれかの異常事態に対応した表示メッセージを前記ディスプレイに表示させるとともに、その異常事態に対応したヘルプデータが存在している場合には、所定の操作子を示す情報をヘルプデータを表示させるためのヘルプガイドとして前記ディスプレイに表示させ、併せて、他の異常事態に対応した表示メッセージが存在していることを示す情報を前記ディスプレイに表示させる。
【００１６】
この場合、前記記憶手段は、それぞれの異常事態について優先順位を格納しており、
前記表示制御手段は、
複数の異常事態が検出された場合には、検出された各異常事態の優先順位にしたがって対応する表示メッセージを前記ディスプレイに表示させるようにする。
【発明を実施するための最良の形態】
【００１７】
本発明の実施の形態について図面を参照して説明する。
【００１８】
図１は、本発明の一実施形態に係る印刷装置１０のハードウェア構成を示すブロック図である。本図に示すように、印刷装置１０は、制御部１１とコントロールパネル１２と印刷機構部１３とを備えて構成される。
【００１９】
制御部１１は、受信した印刷データに応じた内容の印刷を印刷機構部１３に実行させる印刷制御処理、コントロールパネル１２における表示処理あるいはコントロールパネル１２に対するユーザの操作に応答する処理等を行うユニットである。
【００２０】
この制御部１１は、図示するように、ホストインタフェース回路２１、ＣＰＵ２２、ＲＡＭ２３、メモリ制御部２４、ＲＯＭ２５、ＥＥＰＲＯＭ２６、インタフェース回路部２７等で構成されている。
【００２１】
制御部１１を構成しているＲＯＭ２５は、各種のプログラム、データ等が記憶された不揮発性メモリである。ＲＡＭ２３は、ＲＯＭ２５に記憶されているプログラムが読み出されるメモリであるとともに、ＲＡＭ２３上に読み出されているプログラムの作業領域として用いられるメモリである。ＥＥＰＲＯＭ２６は、印刷装置１０の電源投入直後の動作条件を規定する各種の情報を記憶しておくための不揮発性メモリである。
【００２２】
ＣＰＵ２２は、ＲＡＭ２３上のプログラムに従って各部を統合的に制御する制御回路である。ホストインタフェース回路２１は、ＣＰＵ２２の制御の下で、図示しないホスト装置（本印刷装置１０用のプリンタドライバがインストールされたコンピュータ等）との間で通信を行うための回路である。
【００２３】
メモリ制御部２４は、ＣＰＵ２２の制御の下で、ホストインタフェース回路２１からＲＡＭ２３にデータを転送する処理、ＲＡＭ２３上にＣＰＵ２２が生成した印刷用イメージデータに応じた信号を印刷機構部１３へ供給する処理等を行う回路である。
【００２４】
インタフェース回路部２７は、ＣＰＵ２２とコントロールパネル１２との間、ＣＰＵ２２と印刷機構部１３との間でデータを授受するための複数のインタフェース回路からなるユニットである。
【００２５】
印刷機構部１３は、制御部１１の制御の下で、用紙に対して印刷を行うユニットである。この印刷機構部１３は、制御部１１から供給される信号に基づき用紙上に実際に印刷を行う印刷エンジン、印刷エンジンに用紙を供給するための複数の給紙装置、印刷が行われた用紙を印刷装置１０外に排出するための排紙装置等で構成されている。印刷エンジンは、例えば、トナーを用紙に付着させるレーザ方式、インクを用紙に吐出するインクジェット方式等を用いることができる。
【００２６】
コントロールパネル１２は、ユーザと印刷装置１０との間のインタフェースとして、印刷装置１０の筐体上に設けられているユニットである。コントロールパネル１２には、印刷装置１０からの情報を表示するための液晶ディスプレイとユーザからの指示を受け付けるためのボタンとを備えている。
【００２７】
図２は、コントロールパネル１２の液晶ディスプレイ周辺の外観の一例を示す図である。本図に示すように、コントロールパネル１２の液晶ディスプレイ（ＬＣＤ）３０の周辺には、左ボタン３１、上ボタン３２、下ボタン３３、右ボタン３４が設けられている。
【００２８】
これらのボタンは、液晶ディスプレイ３０に表示される設定メニューに対する操作等において、それぞれ基本的な機能が割り当てられている。ここでは、例えば、左ボタン３１は「戻る」、上ボタン３２は「上移動」、下ボタン３３は「下移動」、右ボタン３４は「設定実行」の各機能が割り当てられているものとする。なお、「戻る」は、メニューの階層を１つ上がったり、各種設定を行なう設定モードから通常モードに復帰するため等に用いる機能である。また、「上移動」「下移動」は、メニューに表示された項目を移動するため等に用いる機能である。
【００２９】
なお、図示していないが、コントロールパネルに１２には、これらのボタン群および液晶ディスプレイ３０の他に、ジョブキャンセルボタン、データランプ、印刷可ランプ、エラーランプ、印刷可ボタン等が備えられている。
【００３０】
図３は、印刷装置１０のエラー／警告処理に関する機能構成を示すブロック図である。本図に示すように、印刷装置１０は、エラー／警告検知部１１１、表示制御部１１２、指示受付部１１３、エラー／警告管理テーブル１１４、ヘルプデータベース１１５を備えている。これらの機能部は、ＲＯＭ２５に記録されたプログラムをＣＰＵ２２が実行したり、ＲＯＭ２５に記録された各種データ等に基づいて主として制御部１１に仮想的に構築される。
【００３１】
エラー／警告検知部１１１は、印刷装置１０に備えられた各種センサー、カウンタ等（図示せず）を監視して、印刷装置１０でエラーまたは警告とするべき異常事態が発生したことを検出する。このとき、エラー／警告検知部１１１は、印刷装置１０のどの部分でどのような異常事態が発生したかを特定できるようになっている。特定された異常事態は、例えば、エラー／警告コードにより示される。
【００３２】
ここで、エラーは、用紙詰まり、用紙切れ等の印刷の継続が不可能な異常事態を意味し、警告は、消耗品の残量僅少、印刷データの指示通りの印刷ができなかった等の印刷は可能であるが放置すれば印刷ができなくなったり印刷品質が低下するような状態を意味するものとする。ただし、本実施形態では、両者を厳密に区別する必要はない。
【００３３】
表示制御部１１２は、エラー／警告処理に関する情報等を液晶ディスプレイ３０に表示させるための処理を行なう。表示制御部１１２は、指示受付部１１３を介して受け付けるユーザからの指示に応じて、あらかじめ定められた規則にしたがったエラー／警告処理に関する表示を行なう。
【００３４】
指示受付部１１３は、コントロールパネル１２に設けられたボタン操作により、ユーザからの指示を受け付ける。
【００３５】
エラー／警告管理テーブル１１４は、印刷装置１０で扱うエラー／警告についての情報を液晶ディスプレイ３０に表示する際の規則等が記録されたテーブルである。
【００３６】
図４は、エラー／警告管理テーブル１１４の一例を示す図である。本図に示すようにエラー／警告管理テーブル１１４は、エラー／警告単位に、優先順位１１４ａ、エラー／警告メッセージ１１４ｂ、ヘルプ１１４ｃを記録している。なお、これらのデータは、エラー／警告がエラー／警告コードで示される場合には、エラー／警告コードに対応して記録されているものとする。すなわち、エラー／警告コードから、そのエラー／警告についての優先順位１１４ａ、エラー／警告メッセージ１１４ｂ、ヘルプ１１４ｃを導くことが可能となっている。
【００３７】
優先順位１１４ａは、複数のエラー／警告が発生した場合の、液晶ディスプレイ３０に表示する順序である。すなわち、エラー／警告はその重要度、緊急度に応じてあらかじめ表示する優先順位が定められている。
【００３８】
エラー／警告メッセージ１１４ｂは、エラー／警告が発生した場合に液晶ディスプレイ３０に表示するメッセージである。ユーザはこのメッセージを見ることにより、どのようなエラー／警告が発生したかを知ることができる。
【００３９】
ヘルプ１１４ｃは、エラー／警告が発生した場合に、対応するヘルプ表示用のデータが用意されているかどうか、用意されている場合には、そのヘルプデータを特定するための識別子が記録される。すなわち、対応するヘルプデータがないエラー／警告には「無」が記録され、対応するヘルプデータが用意されているエラー／警告には、「Ｈ００１」等の識別子が記録されている。
【００４０】
ヘルプデータベース１１５は、エラー／警告が発生した場合の対処方法等を示すヘルプデータを格納するデータベースである。ただし、すべてのエラー／警告に対してヘルプデータを用意しておく必要はない。ヘルプデータベース１１５は、ヘルプデータに識別子を付して管理している。
【００４１】
次に、本実施形態に係る印刷装置１０のエラー／警告処理に関する動作を説明する。
【００４２】
図５は、エラー／警告処理に関する動作を説明するためのフロー図である。
【００４３】
印刷装置１０は、エラー／警告検知部１１１により、エラー／警告の発生を監視しており（Ｓ１０１）、エラー／警告が発生していないときは（Ｓ１０１：Ｎ）、液晶ディスプレイ３０は通常表示となる（Ｓ１０２）。ここで、通常表示は、そのときの印刷装置１０の状態に応じて、例えば「印刷可能です」「印刷中です」「待機中です」等とすることができる。
【００４４】
なお、エラー／警告の発生の監視は、常時行なうようにしてもよいし、特定の状況時、例えば、印刷装置１０の電源投入時、印刷データ受信時、ホスト装置からの問い合わせ受付時等に行なうようにしてもよい。
【００４５】
エラー／警告検知部１１１がエラー／警告の発生を検知すると（Ｓ１０１：Ｙ）、どのようなエラー／警告が発生しているかを特定する（Ｓ１０３）。エラー／警告の内容は、エラー／警告検出用に設けられたセンサの出力結果、カウンタ値等により特定することができる。
【００４６】
警告には対処をしないとその状態が継続するものも含まれており、また、異なる個所で異常が発生することもある。このため、エラー／警告が同時に複数発生することがある。一方、液晶ディスプレイ３０の表示領域には制限があり、複数のエラー／警告をまとめて表示することが困難な場合もある。そこで、表示制御部１１２は、複数のエラー／警告にも対応できるような表示方式を採用している。
【００４７】
ここでは、エラー／警告が１つだけ発生している場合と、複数発生している場合とで分けて説明するものとする。
【００４８】
まず、エラー／警告が１つだけ発生している場合（Ｓ１０４：Ｎ）について説明する。
【００４９】
表示制御部１１２は、エラー／警告管理テーブル１１４を参照して、発生しているエラー／警告についてヘルプが用意されているかどうかを判断する（Ｓ１０６）。
【００５０】
具体的には、エラー／警告管理テーブル１１４において、発生しているエラー／警告に対応したヘルプ１１４ｃにヘルプ識別子が記録されていればヘルプが用意されていなると判断し、発生しているエラー／警告に対応したヘルプ１１４ｃに「無」が記録されていればヘルプが用意されていないと判断する。
【００５１】
その結果、発生しているエラー／警告に対応したヘルプが用意されている場合（Ｓ１０６：Ｙ）には、エラー／警告管理テーブル１１４を参照して、発生しているエラー／警告に対応したエラー／警告メッセージを液晶ディスプレイ３０に表示する（Ｓ１０７）。このとき、ヘルプを表示させるための操作を示すヘルプガイドを併せて表示するようにする。
【００５２】
図６は、ヘルプガイドを含むエラー／警告メッセージを表示している液晶ディスプレイ３０周辺の外観を示す図である。本図の例では、液晶ディスプレイ３０の上部にエラー／警告メッセージが表示され、液晶ディスプレイ３０の下部には、左ボタンを示すアイコンとともに、ヘルプガイドとして「押すとヘルプが表示されます」というヘルプを表示させるための操作方法が表示されている。
【００５３】
すなわち、本実施形態では、通常、別の用途、例えば、「戻る」機能として用いられているボタンをエラー／警告の発生時には、ヘルプを表示させるためのボタンに転用するようにしている。
【００５４】
ヘルプを表示させるボタンは、ヘルプが用意されているエラー／警告の発生時に必要となるものであるため、通常時には必要ないものである。このため、本実施形態では、必要となった場合、すなわち、エラー／警告が発生し、そのエラー／警告に対応するヘルプが用意されている場合に、他の用途に用いられているボタンをエラーボタンに転用させるようにしている。
【００５５】
これにより、専用のヘルプボタンを設けることなく、ヘルプ表示が必要な場合に簡易な操作でヘルプを表示させることが可能となっている。
【００５６】
また、表示するヘルプが用意されている場合に限り、他の用途に用いられているボタンをヘルプボタンに転用し、その旨をヘルプガイドとして液晶ディスプレイに表示させるようにしているため、ヘルプ表示に関して、ユーザの混乱を招かないようにしている。
【００５７】
ここで、「戻る」機能として用いられているボタンをヘルプを表示させるためのボタンに転用しているのは、例えば、「上移動」「下移動」のようにメニューに表示された項目を移動する機能として用いられているボタンを転用するよりも、ユーザの混乱が少ないと考えられるからである。
【００５８】
また、後述するようにエラー／警告が複数発生している場合には、表示するエラー／警告メッセージ自体の移動も必要となり、「上移動」「下移動」機能のボタンが本来の役割で用いられるからである。
【００５９】
ユーザがヘルプガイドの表示にしたがってヘルプ表示のための処理を行なうと、すなわち、印刷装置１０が左ボタン３１の押下を受け付けると（Ｓ１０８：Ｙ）、エラー／警告管理テーブル１１４において対応付けられているヘルプの表示を行なう（Ｓ１０９）。具体的には、発生したエラー／警告に対応したヘルプ１１４ｃに記録されているヘルプＩＤをキーにヘルプデータベース１１５からヘルプデータを取得して、液晶ディスプレイ３０に表示する。なお、表示するヘルプの例については後述する。
【００６０】
表示制御部１１２は、ヘルプ表示のための処理を受け付けない場合には、例えば、異常事態が解消されるまでエラー／警告の表示を継続する（Ｓ１１１）。
【００６１】
また、ヘルプ表示をした場合（Ｓ１０９）に、ヘルプ表示を確認したユーザからヘルプを終了する旨の指示を受け付けた場合（Ｓ１１０：Ｙ）には、ヘルプガイド付きのエラー／警告の表示に戻る（Ｓ１０７）。なお、ヘルプを終了する旨の指示は、ヘルプを表示させる旨の指示と同様に左ボタン３１の押下とすることができる。
【００６２】
一方、発生しているエラー／警告についてヘルプが用意されているかどうかを判断した結果（Ｓ１０６）、発生しているエラー／警告に対応したヘルプが用意されていない場合（Ｓ１０６：Ｎ）には、エラー／警告管理テーブル１１４を参照して、発生しているエラー／警告に対応したエラー／警告メッセージを液晶ディスプレイ３０に表示する（Ｓ１１２）。この場合、ヘルプ表示は用意されていないため、ヘルプを表示させるためのガイドは表示しないものとする。
【００６３】
図７は、ヘルプガイドを含まないエラー／警告メッセージを表示している液晶ディスプレイ３０周辺の外観を示す図である。本図の例では、液晶ディスプレイ３０の上部にエラー／警告メッセージが表示され、液晶ディスプレイ３０の下部には、ヘルプを表示させるためのガイドの表示はない。もちろん、左ボタン３１が押されたとしてもヘルプは表示されない。
【００６４】
つぎに、エラー／警告が複数発生している場合（Ｓ１０４：Ｙ）について説明する。
【００６５】
この場合、表示制御部１１２は、エラー／警告管理テーブル１１４を参照して、発生しているエラー／警告の表示の順番を決定する（Ｓ１０５）。
【００６６】
具体的には、発生している複数のエラー／警告について、エラー／警告管理テーブル１１４の優先順位１１４ａの高い順に並べ替える。
【００６７】
以下の処理については、図８のフロー図および図９の液晶ディスプレイ表示遷移図を参照して説明する。
【００６８】
まず、表示制御部１１２は、発生している複数のエラー／警告のうち最も優先順位の高いエラー／警告を、表示対象として設定する（Ｓ２０１）。
【００６９】
そして、表示対象となったエラー／警告についてヘルプが用意されているかどうかを判断する（Ｓ２０２）。この判断は、エラー／警告が１つだけ発生している場合と同様に行なうことができる。
【００７０】
その結果、表示対象となったエラー／警告に対応したヘルプが用意されている場合（Ｓ２０２：Ｙ）には、エラー／警告管理テーブル１１４を参照して、表示対象となっているエラー／警告に対応したエラー／警告メッセージを液晶ディスプレイ３０に表示する（Ｓ２０４）。このとき、ヘルプを表示させるための操作を示すヘルプガイドを併せて表示するようにする。
【００７１】
図９の液晶ディスプレイ３０ａはこのときの表示例を示している。すなわち、液晶ディスプレイ３０ａの上部にエラー／警告メッセージが表示され、液晶ディスプレイ３０ａの下部には、左ボタンを示すアイコンとともに「押すとヘルプが表示されます」というヘルプを表示させるための操作方法が表示されている。
【００７２】
すなわち、複数のエラー／警告が発生しているときにも、表示対象となっているエラー／警告についてヘルプが用意されている場合には、通常、別の用途に用いられているボタンをヘルプを表示させるためのボタンに転用するようにしている。
【００７３】
また、液晶ディスプレイ３０ａの上部には、下向き三角マーク３０１が表示されている。これは、複数のエラー／警告が発生しており、現在表示対象となっているエラー／警告よりも優先順位の低い他のエラー／警告があることを示すものである。
【００７４】
ユーザは、下向き三角マーク３０１が表示されている場合に、「下移動」の機能が割り当てられている下ボタン３３を押すことにより、次のエラー／警告を表示させることができる。すなわち、表示制御部１１２は、指示受付部１１３を介して、下ボタン３３の押下を受け付けると（Ｓ２０８：Ｙ）、表示対象として発生している複数のエラー／警告のうち次に優先順位の高いエラー／警告を設定する（Ｓ２０９）。そして、同様にヘルプの有無を判断して（Ｓ２０２）、エラー／警告を表示する（Ｓ２０４、Ｓ２０３）。
【００７５】
図９の液晶ディスプレイ３０ｂは、液晶ディスプレイ３０ａの状態で下ボタン３３が押され、表示対象が移動した場合の表示例を示している。本例では、液晶ディスプレイ３０ａの上部には、下向き三角マーク３０１に加え、上向き三角マーク３０２が表示されている。これにより、表示対象となっているエラー／警告より優先順位の高いエラー／警告と、優先順位の低いエラー／警告も発生していることを示している。
【００７６】
図９の液晶ディスプレイ３０ｃは、液晶ディスプレイ３０ａの状態で下ボタン３３が押され、さらに表示対象が移動した場合の表示例を示している。
【００７７】
図９の液晶ディスプレイ３０ｃに示すように、表示対象となっているエラー／警告に対応したヘルプが用意されており、ヘルプガイドが表示されている状態で、ユーザがヘルプ表示のための処理を行なうと、すなわち、印刷装置１０が左ボタン３１の押下を受け付けると（Ｓ２０５：Ｙ）、表示制御部１１２は、ヘルプの表示を行なう（Ｓ２０６）。
【００７８】
具体的には、表示対象となっているエラー／警告に対応したヘルプ１１４ｃに記録されているヘルプＩＤをキーにヘルプデータベース１１５からヘルプデータを取得して、液晶ディスプレイ３０に表示する。
【００７９】
図９の液晶ディスプレイ３０ｄ〜３０ｇは、表示されるヘルプの例を示している。ここでは、ヘルプ表示が複数画面に渡るため、画面を移動するための下向き三角マーク３０１と上向き三角マーク３０２とが表示されている。ユーザは、この表示にしたがって上ボタン３２、下ボタン３３を操作することによりヘルプ画面を移動させることができる。
【００８０】
また、ヘルプ画面の最終画面を示す液晶ディスプレイ３０ｇには、左ボタンのアイコンと「押すとヘルプを終了します」というガイド表示が含まれている。すなわち、本実施形態では、表示対象のエラー／警告にヘルプが用意されている場合には、左ボタン３１をヘルプを表示させるためのボタンに転用するとともに、ヘルプを終了させるためのボタンとしても用いるようにしている。
【００８１】
この表示にしたがって、ユーザは、ヘルプを表示させている状態で、左ボタン３１を押すことでヘルプを終了させることができる。すなわち、表示制御部１１２は、指示受付部１１３を介して、左ボタン３１の押下を受け付けると（Ｓ２０７：Ｙ）、ヘルプ表示を終了し、表示対象となっているエラー／警告についてのヘルプガイド付きのエラー／警告の表示に戻る（Ｓ２０４）。
【００８２】
一方、表示対象となったエラー／警告についてヘルプが用意されているかどうかを判断した結果（Ｓ２０２）、発生しているエラー／警告に対応したヘルプが用意されていない場合（Ｓ２０２：Ｎ）には、エラー／警告管理テーブル１１４を参照して、表示対象となったエラー／警告に対応したエラー／警告メッセージを液晶ディスプレイ３０に表示する（Ｓ２０３）。この場合、ヘルプ表示は用意されていないため、ヘルプを表示させるためのガイドは表示しないものとする。
【００８３】
このように、本実施形態によれば、表示対象となっているエラー／警告についてヘルプが用意されている場合には、通常、別の用途に用いられているボタンをヘルプを表示させるためのボタンに転用するとともに、その旨をユーザに通知するための表示を行なうようにしているため、専用のヘルプボタンを設けることなく、ヘルプ表示が必要な場合に簡易な操作でヘルプを表示させることが可能となっている。
【図面の簡単な説明】
【００８４】
【図１】印刷装置のハードウェア構成を示すブロック図である。
【図２】コントロールパネルの液晶ディスプレイ周辺の外観を示す図である。
【図３】印刷装置のエラー／警告処理に関する機能構成を示すブロック図である。
【図４】エラー／警告管理テーブルを示す図である。
【図５】エラー／警告処理に関する動作を説明するためのフロー図である。
【図６】ヘルプガイド付きの液晶ディスプレイの外観を示す図である。
【図７】ヘルプガイドなしの液晶ディスプレイの外観を示す図である。
【図８】エラー／警告が複数発生した場合の処理を説明するためのフロー図である。
【図９】液晶ディスプレイの表示の遷移を説明する図である。
【符号の説明】
【００８５】
１０…印刷装置、１１…制御部、１２…コントロールパネル、１３…印刷機構部、２１…ホストインタフェース回路、２２…ＣＰＵ、２３…ＲＡＭ、２４…メモリ制御部、２７…インタフェース回路部、３０…液晶ディスプレイ、３１…左ボタン、３２…上ボタン、３３…下ボタン、３４…右ボタン、１１１…エラー／警告検知部、１１２…表示制御部、１１３…指示受付部、１１４…エラー／警告管理テーブル、１１５…ヘルプデータベース
【図１】
2006137051.tif 000003
【図２】
2006137051.tif 000004
【図３】
2006137051.tif 000005
【図４】
2006137051.tif 000006
【図５】
2006137051.tif 000007
【図６】
2006137051.tif 000008
【図７】
2006137051.tif 000009
【図８】
2006137051.tif 000010
【図９】
2006137051.tif 000011